(57)【要約】【課題】安価で簡便なスループットの高い角層細胞間脂質の構造の評価方法及び装置を開発する。【解決手段】本発明は表皮の脂質構造の評価方法及び装置を提供する。本発明の評価方法は、生体組織サンプルの全透過率を得るステップを含む。本発明の評価装置は、白色光源と、生体組織サンプルの保持具と、集光器と、測光器とを含み、前記白色光源、前記生体組織サンプルの保持具、前記集光器及び前記測光器は、前記白色光源から発して、前記保持具に保持される前記生体組織サンプルを透過した光だけが前記集光器に導かれ、該集光器から導かれた光の強度が前記測光器によって計測されるように配置される。本発明の評価方法及び装置において、前記生体組織は表皮角層の場合がある。本発明の評価方法及び装置において、前記生体組織サンプルは培養下で維持された表皮組織に由来する場合がある。【選択図】なし【特許請求の範囲】
【請求項１】
生体組織サンプルの全透過率を得るステップを含むことを特徴とする、生体組織の脂質構造の評価方法。
【請求項２】
前記生体組織は表皮角層であることを特徴とする、請求項１に記載の評価方法。
【請求項３】
前記生体組織サンプルは、培養下で維持された表皮組織に由来することを特徴とする、請求項２に記載の評価方法。
【請求項４】
白色光源と、生体組織サンプルの保持具と、集光器と、測光器とを含み、前記白色光源、前記生体組織サンプルの保持具、前記集光器及び前記測光器は、前記白色光源から発して、前記保持具に保持される前記生体組織サンプルを透過した光だけが前記集光器に導かれ、該集光器から導かれた光の強度が前記測光器によって計測されるように配置されることを特徴とする、表皮の脂質構造の評価装置。
【請求項５】
前記生体組織は表皮角層であることを特徴とする、請求項４に記載の評価装置。
【請求項６】
前記生体組織サンプルは、培養下で維持された表皮組織に由来することを特徴とする、請求項５に記載の評価装置。
【発明の詳細な説明】
【技術分野】
【０００１】
本発明は、角層細胞間脂質構造の評価方法及び装置に関し、具体的には、工学的手法による角層細胞間脂質構造の評価方法及び装置に関する。
【背景技術】
【０００２】
角層は皮膚の最外層にある厚さ１０〜２０μｍの組織である。角層の細胞間脂質は、セラミド、コレステロール、脂肪酸等の化学物質からなるマルチラメラ構造を形成し、皮膚のバリア機能に関与すると考えられている。そこで皮膚のバリア機能を解明するためには、角層細胞間脂質の構造を物理学的に解析することが重要である。
【０００３】
従来、角層細胞間脂質の構造の物理学的な解析方法としては、熱量測定（ＤＳＣ）法（非特許文献１）、Ｘ線回折法（非特許文献２）、赤外吸収法（非特許文献３）、ＥＳＲ法（非特許文献４）等が試みられてきた。しかしこれらの解析方法は、大型の測定機器を運転したり、高価な試薬を用いたり、サンプル調製に時間と手間がかかったりするため、スクリーニングにコストがかかり、スループットが低いという課題があった。
【先行技術文献】
【非特許文献】
【０００４】
【非特許文献１】Ｇｏｏｄｍａｎ，  Ｍ．及びＢａｒｒｙ，  Ｂ．  Ｗ．  、Ａｎａｌｙｔｉｃａｌ  Ｐｒｏｃｅｅｄｉｎｇｓ，  ２３：３９７−３９８，  １９８６．
【非特許文献２】Ｂｏｕｗｓｔｒａ，  Ｊ．  Ａ．  ら、Ｊ．  Ｉｎｖｅｓｔ．  Ｄｅｒｍａｔｏｌ．，  ９７：  １００５−１０１２，  １９９１．
【非特許文献３】Ｂｏｍｍａｎｎａｎ，  Ｄ．  ら、Ｊ．  Ｉｎｖｅｓｔ．  Ｄｅｒｍａｔｏｌ．，  ９５：  ４０３−４０８，  １９９０．
【非特許文献４】Ｙａｇｉ，  Ｅ．  ら、Ｊ．  Ｉｎｖｅｓｔ．  Ｄｅｒｍａｔｏｌ．，  １２７：８９５−８９９、２００７．
【発明の概要】
【発明が解決しようとする課題】
【０００５】
そこで、皮膚バリア機能を改善又は向上させる物質を角層細胞間脂質の構造の変化を指標として多数の候補物質の中から探索するために、安価で簡便なスループットの高い角層細胞間脂質の構造の評価方法及び装置を開発する必要がある。
【課題を解決するための手段】
【０００６】
本発明は、生体組織サンプルの全透過率を得るステップを含む、生体組織の脂質構造の評価方法を提供する。
【０００７】
本発明の評価方法において、前記生体組織は表皮角層の場合がある。
【０００８】
本発明の評価方法において、前記生体組織サンプルは培養下で維持された表皮組織に由来する場合がある。
【０００９】
本発明の評価方法において、前記生体組織サンプルは生体から採取された新鮮な表皮組織に由来する場合がある。
【００１０】
本発明は表皮の脂質構造の評価装置を提供する。本発明の評価装置は、白色光源と、生体組織サンプルの保持具と、集光器と、測光器とを含み、前記白色光源、前記生体組織サンプルの保持具、前記集光器及び前記測光器は、前記白色光源から発して、前記保持具に保持される前記生体組織サンプルを透過した光だけが前記集光器に導かれ、該集光器から導かれた光の強度が前記測光器によって計測されるように配置される。
【００１１】
本発明の評価装置において、前記生体組織は表皮角層の場合がある。
【００１２】
本発明の評価装置において、前記生体組織サンプルは培養下で維持された表皮組織に由来する場合がある。
【００１３】
本発明の評価装置において、前記生体組織サンプルは生体から採取された新鮮な表皮組織に由来する場合がある。
【図面の簡単な説明】
【００１４】
【図１】本発明の透明度測定装置の模式図。
【図２】水分含有量の異なる複数の角層シートの全透過率と角層細胞間脂質秩序度との関係を示すグラフ。
【図３】水分含有量の異なる複数の角層シートの全透過率と脂質パッキング構造ピーク強度との関係を示すグラフ。
【００１５】
本明細書において「生体組織」とは、いかなる種の生物由来のいかなる組織でもかまわないが、ほ乳類の皮膚組織が好ましく、ヒトの他、マウス、ラット、ブタ等の皮膚科学の研究用の実験動物の皮膚組織がより好ましい。皮膚組織は最外層の角層（角質層）から基底層までの表皮組織を含む場合があるが、角層がバリア機能の主要な担い手であるため、少なくとも角層を含むことが好ましい。
【００１６】
本明細書において「生体組織サンプル」とは、生体から採取された新鮮な組織を調製したサンプルである場合の他、培養下で維持される組織を調製したサンプルである場合も含まれる。生体から皮膚組織、特に皮膚角層を採取するには、例えば、ガラス、樹脂等の光学的に透明な固体支持体に透明な接着剤を付着させて皮膚表面に押し当てて角層を剥離するやり方があるが、他のやり方を用いてもかまわない。培養下で維持された表皮組織から角層シートを単離するには、前記表皮組織をカルシウムイオン及びマグネシウムイオン濃度を制御した生理食塩水中でタンパク質分解酵素で処理する等の手法を用いることができる。前記角層シートは表皮組織から剥離又は単離された直後、あるいは、なんらかの処理後に全透過率を測定される場合もある。代替的には、温度及び湿度が制御可能な恒温恒湿インキュベータを用いて調製した後に全透過率を測定される場合がある。
【００１７】
本明細書において「培養下で維持される表皮組織」とは、ヒト又は実験動物の皮膚から採取した皮膚組織か、胚性幹細胞又は成体幹細胞を試験管内で分化させて得られた皮膚組織かを重層構造を維持しながら試験管内で培養した組織をいう。特にヒトについては、ＬａｂＣｙｔｅ  ＥＰＩ−ＭＯＤＥＬ（株式会社ジャパン・ティッシュ・エンジニアリング）のような商業的に入手可能なヒト3次元培養表皮モデル製品を用いる場合がある。
【００１８】
本発明の表皮の脂質構造の評価装置において、白色光源とは、発光スペクトルの分布が可視領域のほぼ全域にわたっていて肉眼で白色に見えるような光の光源をいう。生体組織サンプルの保持具は、本発明の生体組織サンプルが前記白色光源からの光路を横切る位置に保持することができることを条件として、いかなる形状のものであってもかまわない。集光器は、前記生体組織サンプルを透過した光を集めて均一化して、測光器に導くことができることを条件としていかなる形状及び／又は構造のものであってもかまわない。好ましい集光器は積分球である。前記生体組織サンプルを透過した光だけが前記集光器に入射するように、前記生体組織サンプルと集光器の間に遮光体が設けられる場合がある。好ましい遮光体は暗幕である。測光器は集光器から導かれた可視光の強度を測定することができることを条件としていかなる種類の測光器であってもかまわない。好ましい測光器は光電素子である。
【００１９】
本明細書において「全透過率」とは、本発明の評価方法又は評価装置を用いて得られた生体組織サンプルを透過して測光した白色光の強度の測定値を、該生体組織サンプルのかわりにブランク状態で測光した白色光の強度の測定値で除算した百分率をいう。全透過率で表される透明度が高い角層シートは、乱反射が起こりにくいはずだから、より角層シートを構成する細胞間脂質の配向が揃っていると考えられるので、ＥＳＲ法で測定できる角層細胞間脂質秩序度と、Ｘ線解析法で測定できる脂質パッキング構造のピーク強度と相関性があると考えられる。すなわち、より全透過率の高い角層シートサンプルは角層細胞間脂質秩序度が高く、脂質パッキング構造のピーク強度も高いとの仮説を立てることができる。
【発明を実施するための形態】
【００２０】
以下の実施例によって本発明について詳細な説明を行なうが、本発明はこれらの実施例により何ら制限されるものではない。
【実施例１】
【００２１】
１−１角層シートの調製
１２穴プレートの３次元ヒト表皮培養モデル（ＬａｂＣｙｔｅ  ＥＰＩ−ＭＯＤＥＬ、株式会社ジャパン・ティッシュ・エンジニアリング）を、０．１％トリプシン溶液／等張リン酸緩衝液中で３７°Ｃで３０分間インキュベーションすることにより、直径約１０mmの角層シートを調製した。該角層シートを、恒温恒湿槽ＭＴＨ−２２００（三洋電機株式会社）を用いて、温度３４°Ｃ、相対湿度６０％の条件下で最長１８時間乾燥させた。乾燥時間を変えることによって、４種類の異なる水分量を備えた角層シートを調製した。
【００２２】
１−２角層全透過率の測定
図１に本発明の透明度測定装置の模式図を示す。本発明の透明度測定装置は、ＣＩＥ（国際照明委員会）標準光源Ｃ規格の白色光源と、角層サンプルの保持具（図示されない）と、角層サンプルを透過しない光の遮光体としての暗幕と、角層サンプルを透過した光を均一化する積分球と、積分球から導かれた光の強度を測定する測光器（図示されない）とを含む。１−１で説明したとおり調製された角層シートを本発明の透明度測定装置に装着し、前記光源からの白色光を照射して前記角層シートを透過した光を積分球に導いて均一化された光の強度を測定した。結果は、全透過率、すなわち、前記角層シートを透過した光の強度の測定値を、角層シートを装着しないブランク状態で前記光源からの白色光を直接積分球に導いた光の強度の測定値で除算した百分率で表した。
【００２３】
１−３角層細胞間脂質秩序度の測定
１−１で説明したとおり調製された角層シートを８ｍｍ  ｘ  ７０ｍｍのガラスに乗せた後、スピンプローブである５−ドキシルステアリン酸（５−ＤＳＡ、Ａｌｄｒｉｃｈ）を０．０１％含む水溶液で３７°Ｃ、１時間処理した。その後角層シートを蒸留水で洗浄して過剰なスピンプローブを除去した後、シアノアクリレート系接着剤で前記ガラス板に接着させた状態で、電子スピン共鳴（ＥＳＲ）の測定を実施した。ＥＳＲの測定は、ＸバンドＥＳＲ装置ＪＥＳ−ＲＥ１Ｘ（日本電子株式会社）を用いて室温で行なった。マイクロ波出力は１０ｍＷ、磁場変調幅は０．２ｍＴ、時定数は１秒、掃引速度は８分であった。
【００２４】
得られたシグナルに対して幾何学法による秩序度解析を実施した。Ｓｈｉｍｓｈｉｃｋ，Ｅ．Ｊ．ら、（Ｂｉｏｃｈｅｍｉｓｔｒｙ、１２：２３５１−２３６０、１９７３）にしたがって、角層シートに取り込まれた５−ＤＳＡのＥＳＲスペクトルの波形図から５−ＤＳＡの回転対称軸に対して平行方向及び垂直方向の超微細結合定数それぞれＡＰａｒａ及びＡＰｅｒｐを求め、これらに基づいて以下の式（１）ないし（３）からＳ値を算出した。ここで主値は、（ＡＸＸ，ＡＹＹ，ＡＺＺ）＝（０．６６，０．５５，３．４５）とした（Ｇｅ  Ｍ．ら、Ｂｉｏｃｈｅｍ．  Ｂｉｏｐｈｙｓ．  Ａｃｔａ  １０３６：２２８−３６、１９９０）。
【００２５】
【数１】
2010175264.tif 000002
【００２６】
１−４結果
図２は、水分含有量の異なる４種類の角層シートの全透過率と角層細胞間脂質秩序度との関係を示すグラフである。図２の横軸は角層全透過率（単位：％）で、縦軸は角層細胞間脂質秩序度であり、各プロットからの横軸及び縦軸方向の誤差棒の長さは、それぞれの角層シートの全透過率及び角層細胞間脂質秩序度の標準偏差を示す。図２に示すとおり、角層シートの全透過率が約６８％から約８８％まで増加するのに伴い、角層細胞間脂質秩序度は約０．５１から約０．５７まで増加し、角層シートの全透過率とＳ値との間には正の相関が見出された。
【実施例２】
【００２７】
２−１角層細胞間脂質パッキング構造の解析（Ｘ線解析）
調製した角層シートについて、角層細胞間脂質パッキング構造の解析を行なった。Ｘ線光源としてフラックスが１秒間当たり光子数１０１１個で波長が１オングストロームの放射光ビームを用い、カメラ長４０ｃｍにセットした３０ｃｍ  ｘ  ３０ｃｍのイメージングプレートでＸ線散乱像を取得した。得られたＸ線散乱像からＯｈｔａ、Ｎ．ら（Ｃｈｅｍｉｓｔｒｙ  ａｎｄ  Ｐｈｙｓｉｃｓ  ｏｆ  Ｌｉｐｉｄｓ、１２３：１−８、２００３）に従って散乱角に対するＸ線散乱強度を計測し、脂質パッキング構造に対応する散乱ピーク強度を算出した。
【００２８】
図３は、水分含有量の異なる４種類の角層シートの全透過率と脂質パッキング構造ピーク強度との関係を示すグラフである。図３の横軸は角層全透過率（単位：％）で、縦軸は脂質パッキング構造ピーク強度であり、各プロットからの誤差棒の長さは、それぞれの角層シートの全透過率及び脂質パッキング構造ピーク強度の標準偏差の大きさを示す。図３に示すとおり、角層シートの全透過率が約６８％から約８８％まで増加するのに伴い、散乱ピーク強度は約２０から約１４５まで増加し、角層シートの全透過率と散乱ピーク強度との間には正の相関が見出された。
【００２９】
図２及び３に示す結果から、全透過率は角層細胞間脂質秩序度及び散乱ピーク強度と一定の対応関係があり、より全透過率の高い角層シートサンプルは角層細胞間脂質秩序度が高く、脂質パッキング構造のピーク強度も高いとの仮説が正しいことを証明することができた。したがって、全透過率の測定によって、角層細胞間脂質構造性に関する情報を与えることが明らかになった。全透過率の測定は、角層細胞間脂質秩序度及び散乱ピーク強度の測定に比べてサンプル調製が簡単で測定機器も安価であるため、角層細胞間脂質構造についての性質をより簡便に評価することができる。
【図１】
2010175264.tif 000003
【図２】
2010175264.tif 000004
【図３】
2010175264.tif 000005